(57)【要約】【課題】ＩＣカード上で摂取カロリー、消費カロリー等を表示確認することが出来、更にセキュリティ性に優れた生体情報管理システムを提供する。【解決手段】ＩＣカードを使用して生体情報を管理するシステムであって、少なくとも生体情報を入力する情報入力手段と、歩数情報を計測する歩数計測手段と、時計機能部と、前記情報入力手段によって入力される情報とは別の生体情報を入出力して外部端末と生体情報の配信を行う情報配信手段と、前記各種情報を表示する表示手段と、を有する非接触ＩＣカードを用い、且つ、前記外部端末と情報の配信を行う際には、ワンタイムパスワードを外部端末に送信して認証を行うことを特徴とする生体情報管理システム。【選択図】図２
2011253420.tif 000002
【特許請求の範囲】
【請求項１】
ＩＣカードを使用して生体情報を管理するシステムであって、少なくとも
生体情報を入力する情報入力手段と、
歩数情報を計測する歩数計測手段と、
時計機能部と、
前記情報入力手段によって入力される情報とは別の生体情報を入出力して外部端末と生体情報の配信を行う情報配信手段と、
前記各種情報を表示する表示手段と、を有する非接触ＩＣカードを用い、且つ、
前記外部端末と情報の配信を行う際には、ワンタイムパスワードを外部端末に送信して認証を行うことを特徴とする生体情報管理システム。
【請求項２】
前記非接触ＩＣカードは飲食店のＰＯＳレジに備えられたリーダライタを介して、摂取カロリー情報や栄養素情報を取得し、
前記取得した情報を記録、集計、表示する機能と、
前記取得した情報の累計情報と、を保持する機能と、
１日の摂取カロリーの目標値を設定する機能と、を有することを特徴とする請求項１記載の生体情報管理システム。
【請求項３】
前記非接触ＩＣカードはスポーツ器具に備えられたリーダライタを介して、消費カロリー情報や栄養素情報を取得し、
前記取得した情報を記録、集計、表示する機能と、
前記取得した情報の累計情報と、を保持する機能と、
１日の消費カロリーの目標値を設定する機能と、を有することを特徴とする請求項１記載の生体情報管理システム。
【請求項４】
前記非接触ＩＣカードは歩数を計測する歩数計測手段によって歩数情報を取得し、
前記取得した歩数情報から消費カロリーを演算する機能と、
前記取得した情報の累計情報とを保持する機能と、
１日の消費カロリーの目標値を設定する機能と、を有することを特徴とする請求項１記載の生体情報管理システム。
【請求項５】
前記非接触ＩＣカードに代えて、携帯電話を用いることを特徴とする請求項１から４のいずれかに記載の生体情報管理システム。
【発明の詳細な説明】
【技術分野】
【０００１】
本発明は、人の健康管理や疾病療養等に活用するために日常生活における食事、運動、体調等の各種生体情報を管理するシステムに関する。
【背景技術】
【０００２】
近年、官公庁、銀行、会社、医療機関、及び学校などのサービス産業分野では、身分証明書、パスポート、外国人登録証、図書館利用カード、キャッシュカード、クレジットカード、自動車運転免許証、従業員証、社員証、会員証、医療カード及び学生証などのＩＤカードが普及している。この種のＩＤカードには、本人認識用の顔画像、及び所有者に関する文字や記号などの文字情報が印刷されており、特に近年、ＩＤカードにはセキュリティの信頼性の高さからＩＣカードを用いることが多くなっている。
【０００３】
例えば、特許文献１に記載されているように医療機関での使用形態の一例として、患者の診断や指導に必要な日常生活での食事や運動や体調等の各種情報を、患者自身が記録でき、その記録情報を自己管理に生かすことができ、患者が来院時に持参した生活情報を病院が電算処理して、患者の診断と指導を迅速かつ的確に行えるシステムがある。
【０００４】
上記特許文献１に記載の実施形態を図１に示す。図１に示す実施形態では、患者宅に、多機能電話機１１を利用し、ＩＣカードリーダライタ１３とバーコードリーダ１５を備えた入力装置１が置かれる。患者は、バーコードリーダ１５を用いて、ＩＣカード３に自己の食事情報、運動情報、検査情報等を登録する。その際、多機能電話機１１は食事に対応する摂取カロリー、運動に対応する消費カロリーをも計算する。それら登録内容は、多機能電話機１１の液晶表示器１１３により照会できる。患者はＩＣカード３を病院に持参する。病院側ホスト装置５は、ＩＣカードリーダライタ５３３によりＩＣカード３内の情報を読み取り、パソコン１６のディスプレイに時系列的なグラフとして表示する。
【先行技術文献】
【特許文献】
【０００５】
【特許文献１】特開平７−６４９６４号公報
【発明の概要】
【発明が解決しようとする課題】
【０００６】
しかしながら上記特許文献１に示される形態では、摂取カロリー、消費カロリー等をカード上で確認することが不可能であったため、不便を感じることがあった。
【０００７】
また、生体情報という個人情報がカードおよびリーダライタ、サーバー間でやりとりされるために、セキュリティ性に問題があった。
【０００８】
そこで本発明は係る問題に鑑みて、ＩＣカード上で摂取カロリー、消費カロリー等を表示確認することが出来、更にセキュリティ性に優れた生体情報管理システムを提供することを目的とする。
【課題を解決するための手段】
【０００９】
本発明は係る問題点に鑑みてなされたものであり、本発明の請求項１に係る発明は、ＩＣカードを使用して生体情報を管理するシステムであって、少なくとも
生体情報を入力する情報入力手段と、
歩数情報を計測する歩数計測手段と、
時計機能部と、
前記情報入力手段によって入力される情報とは別の生体情報を入出力して外部端末と生体情報の配信を行う情報配信手段と、
前記各種情報を表示する表示手段と、を有する非接触ＩＣカードを用い、且つ、
前記外部端末と情報の配信を行う際には、ワンタイムパスワードを外部端末に送信して認証を行うことを特徴とする生体情報管理システムである。
【００１０】
本発明の請求項２に係る発明は、
前記非接触ＩＣカードは飲食店のＰＯＳレジに備えられたリーダライタを介して、摂取カロリー情報や栄養素情報を取得し、
前記取得した情報を記録、集計、表示する機能と、
前記取得した情報の累計情報と、を保持する機能と、
１日の摂取カロリーの目標値を設定する機能と、を有することを特徴とする請求項１記載の生体情報管理システムである。
【００１１】
本発明の請求項３に係る発明は、
前記非接触ＩＣカードはスポーツ器具に備えられたリーダライタを介して、消費カロリー情報や栄養素情報を取得し、
前記取得した情報を記録、集計、表示する機能と、
前記取得した情報の累計情報と、を保持する機能と、
１日の消費カロリーの目標値を設定する機能と、を有することを特徴とする請求項１記載の生体情報管理システムである。
【００１２】
本発明の請求項４に係る発明は、
前記非接触ＩＣカードは歩数を計測する歩数計測手段によって歩数情報を取得し、
前記取得した歩数情報から消費カロリーを演算する機能と、
前記取得した情報の累計情報とを保持する機能と、
１日の消費カロリーの目標値を設定する機能と、を有することを特徴とする請求項１記載の生体情報管理システムである。
【００１３】
本発明の請求項５に係る発明は、前記非接触ＩＣカードに代えて、携帯電話を用いることを特徴とする請求項１から４のいずれかに記載の生体情報管理システムである。
【発明の効果】
【００１４】
本発明の生体情報管理システムによれば、ＩＣカードに備えられた表示機能によって情報を目視で確認することが出来るため利便性が向上し、携帯率が高くなり、更にセキュリティ性が向上する。
【図面の簡単な説明】
【００１５】
【図１】特許文献１に記載の実施形態を示す図。
【図２】本発明に係る生体情報管理システムの一例を示す概略構成図を示す図。
【図３】本発明に係る表示部付非接触ＩＣカードの表面の外観図を示す図。
【図４】本発明に係る生体情報管理システムにおける表示部付非接触ＩＣカードのフロー図。
【図５】本発明に係る生体情報管理システムの実施例１を示す図。
【図６】本発明に係る実施例１の場合の表示部付非接触ＩＣカードと食堂や飲食店のＰＯＳレジの間の情報の配信を示した図。
【図７】本発明に係る生体情報管理システムの実施例２を示す図。
【図８】本発明に係る実施例２の場合の表示部付非接触ＩＣカードとスポーツ器具の間の情報の配信を示した図。
【図９】本発明に係る生体情報管理システムの実施例３を示す図。
【図１０】本発明に係る生体情報管理システムの実施例３における表示部付非接触ＩＣカードの情報の処理を示す図。
【発明を実施するための形態】
【００１６】
以下、本発明の実施形態を図面により詳細に説明する。
【００１７】
図２は本発明に係る生体情報管理システムの一例を示す概略構成図である。本発明に係る生体情報管理システムに適用される表示部付非接触ＩＣカード２０は、少なくとも、情報を入力する手段である入力部２２、各種情報を表示する手段である表示部２１、時計機能部（図示せず）、歩数計測手段である歩数計測部２３、電池２４、ＩＣチップ２５、前記情報入力手段によって入力される情報とは別の情報を入出力して外部端末と情報の配信を行う情報配信手段であるアンテナ２６を有し、外部のＰＯＳレジ２７やスポーツ器具２８との間で情報を配信するシステムである。ＰＯＳレジ２７は、例えば食堂、飲食店に設置されているＰＯＳ端末であって摂取カロリーや栄養素の情報を表示部付非接触ＩＣカード２０に配信する。また、スポーツ器具２８はスポーツジムに設置されているもので消費カロリーを表示部付非接触ＩＣカード２０に配信する。表示部付非接触ＩＣカード２０の表示部２１は、食堂、飲食店に設置されているＰＯＳ端末から得られた摂取カロリーや栄養素の情報や、スポーツ器具２８から得られた消費カロリーや、表示部付非接触ＩＣカード２０に内蔵された歩数計測部２３で得られた歩数や歩行による消費カロリーを表示する。
【００１８】
図３は表示部付非接触ＩＣカード２０の表面の外観図であって、表示部２１と入力部２２がある。図３に示す表示部付非接触ＩＣカード２０の入力部はキー入力の場合を示しているが、表示部２１に備えられたタッチパネル入力でも良い。
【００１９】
前記ＰＯＳレジ２７やスポーツ器具２８のようにリーダライタが設置してある場所では、表示部付非接触ＩＣカード２０をかざすことで情報をカード側へ送信する。一方リーダライタが設置されていない場合は、表示部付非接触ＩＣカード２０の入力部２２を用いることで１日の摂取カロリー、消費カロリー等の行動情報を入力する。
【００２０】
上記は、表示部付非接触ＩＣカードの場合を例示したが、表示部付非接触ＩＣカードに代えて携帯電話を用いても良い。
【００２１】
図４に示すように本発明に係る生体情報管理システムにおける表示部付非接触ＩＣカード２０は、カロリー情報取得（Ｓ１）、表示部付非接触ＩＣカード２０内に情報記録（Ｓ２）、表示部付非接触２０内で情報集計（Ｓ３）、情報表示（Ｓ４）のフローで情報取得から表示までを行う。
【００２２】
次に、本発明に係る生体情報管理システムの実施例を説明する。
【００２３】
図５に実施例１を示す。図５は食堂や飲食店で本発明に係る生体情報管理システムを利用する場合を示したもので、図５に示す表示部付非接触ＩＣカード２０を飲食店等のＰＯＳレジ２７−１に付属されたリーダライタ２７−２にかざすことで、摂取するカロリー情報や栄養素情報は表示部付非接触ＩＣカード２０に送信され、総合計の摂取カロリーはカード内で演算、表示され、累計情報は表示部付非接触ＩＣカード２０に保持される。
【００２４】
表示部付非接触ＩＣカード２０の所有者は自分の年令や、身体情報を入力部２２で入力することで１日の摂取カロリーの目標値を設定できる。
【００２５】
図６は表示部付非接触ＩＣカード２０と食堂や飲食店のＰＯＳレジ２７の間の情報の配信を示したものである。表示部付非接触ＩＣカード２０の所有者は飲食する際には、表示部付非接触ＩＣカード２０でＩＤ情報あるいはＯＴＰ（ワンタイムパスワード）を生成する。その後、食堂や飲食店のＰＯＳレジ２７では照合の結果、本人のＩＤおよびＯＴＰが一致した場合には本人と認証する。代金は電子マネーカードとしての決済を可能とする。表示部付非接触ＩＣカード２０は、入力部２２から入力された情報や食堂ＰＯＳレジ２７から配信された情報の累計情報を保持する。
【００２６】
図７に実施例２を示す。図７はスポーツジムで本発明に係る生体情報管理システムを利用する場合を示したもので、スポーツジムのスポーツ器具を利用した後、器具に設置されたリーダライタ２８−１に表示部付非接触ＩＣカード２０をかざすことで、消費カロリー情報を表示部付非接触ＩＣカード２０に送信し表示する。総合計の消費カロリーは表示部付非接触ＩＣカード２０で演算、表示され、累計情報は表示部付非接触ＩＣカード２０に保持される。
【００２７】
表示部付非接触ＩＣカード２０の所有者は自分の年令や、身体情報を入力部２２で入力することで１日の摂取カロリーの目標値を設定できる。また、目標値から総合計の消費カロリーを減算した値を表示できる。また、実施した運動メニューの履歴を送信して表示することができる
【００２８】
図８は表示部付非接触ＩＣカード２０とスポーツ器具２８の間の情報の配信を示したものである。表示部付非接触ＩＣカード２０の所有者はスポーツ器具２８を利用する際には、表示部付非接触ＩＣカード２０はＩＤ情報あるいはＯＴＰを生成する。その後、スポーツ器具２８では照合の結果、本人のＩＤおよびＯＴＰが一致した場合には本人と認証する。利用後にはスポーツ器具２８から消費カロリーの情報が表示部付非接触ＩＣカード２０に送られる。表示部付非接触ＩＣカード２０は、入力部２２から入力された情報やスポーツ器具２８から配信された情報の累計情報を保持する。
【００２９】
上記実施例１及び２では、本人の認証のためにＩＤおよびＯＴＰを入力する場合を例示したが、セキュリティの観点からＯＴＰ入力が望ましい。
【００３０】
図９に実施例３を示す。図９は表示部付非接触ＩＣカード２０に備えられた歩数計側部２３で本発明に係る生体情報管理システムを利用する場合を示したもので、歩数計側部２３には具体的には歩数計が備えられている。図９に示す表示部付非接触ＩＣカード２０を携帯して歩行している際には、表示部付非接触ＩＣカード２０は、図１０に示すように歩行による消費カロリーを演算して表示する。また、歩行後は総合計の消費カロリーをカード内で演算して表示し、累計情報は表示部付非接触ＩＣカード２０に保持される。
【００３１】
表示部付非接触ＩＣカード２０の所有者は自分の年令や、身体情報を入力部２２で入力することで１日の消費カロリーの目標値を設定できる。また、目標値から総合計の消費カロリーを減算した値を表示できる。
【００３２】
上記実施例１から３では、表示部付非接触ＩＣカード内に情報を保持させる場合を例示したが、サーバーに保持させても良い。
【００３３】
このように本発明の生体情報管理システムによれば、表示部付非接触ＩＣカード２０に備えられた表示機能によって情報を即座に見ることが出来、また飲食による摂取カロリーの目標値や、運動による消費カロリーの目標値を設定することよって利便性が良くなり、その結果携帯率が向上する効果が得られる。更にＯＴＰ（ワンタイムパスワード）を使用して本人の認証を行うためセキュリティ性が向上する。
【符号の説明】
【００３４】
１・・・入力装置
３・・・ＩＣカード
１１・・・多機能電話機
１３・・・ＩＣカードリーダライタ
１５・・・バーコードリーダ
１６・・・パソコン
２０・・・表示部付非接触ＩＣカード
２１・・・表示部
２２・・・入力部
２３・・・歩数計測部
２４・・・電池
２５・・・ＩＣチップ
２６・・・アンテナ
２７・・・ＰＯＳレジ
２７−１・・・飲食店等のＰＯＳレジ
２７−２・・・ＰＯＳレジ２７−１に付属したリーダライタ
２８・・・スポーツ器具
２８−１・・・スポーツ器具２８に付属したリーダライタ
１１３・・・液晶表示器
５３３・・・ＩＣカードリーダライタ
【図１】
2011253420.tif 000003
【図２】
2011253420.tif 000004
【図３】
2011253420.tif 000005
【図４】
2011253420.tif 000006
【図５】
2011253420.tif 000007
【図６】
2011253420.tif 000008
【図７】
2011253420.tif 000009
【図８】
2011253420.tif 000010
【図９】
2011253420.tif 000011
【図１０】
2011253420.tif 000012